(57)【要約】      （修正有）【課題】対応ピン位置を変更可能な回路連接バスラインの提供。【解決手段】主に第一バスライン１、第二バスライン２、部品配置区域３、積重ね区域４を含む。該部品配置区域は第一側縁、第二側縁を具え、該第一側縁と第一バスライン１の連接側縁は相互に連接する。該部品配置区域３の信号伝送線は該第一バスライン１の対応信号伝送線と相互に通じる。該積重ね区域４の内側縁は該部品配置区域３の第二側縁に連接し、その間には折り曲げ可能線Ｌ１、Ｌ２、を形成し、該外側縁は該第二バスライン２の連接側縁と相互に連接し、その間には折り曲げ可能線Ｌ３を形成する。該該積重ね区域４の信号伝送線と該第二バスライン２及び該部品配置区域３の対応する信号伝送線は相互に通じる。【選択図】図２
2007073924.tif 000002
【特許請求の範囲】
【請求項１】
主に第一バスライン、第二バスライン、部品配置区域、積重ね区域を含み、
該第二バスラインは連接側縁と挿入接続端を具え、該第二バスラインは複数の信号伝送線を設置し、
該部品配置区域は表面に部品挿入接続区を設置し、複数の信号伝送線を配線し、該部品配置区域は第一側縁、第二側縁を具え、該第一側縁と第一バスラインの連接側縁は相互に連接し、その間には折り曲げ可能線を形成し、該部品配置区域の信号伝送線は該第一バスラインの対応信号伝送線と相互に通じ、
該積重ね区域はその表面に複数の信号伝送線を設置し、該積重ね区域は内側縁、外側縁を含み、該内側縁は該部品配置区域の第二側縁に連接し、その間には折り曲げ可能線を形成し、該外側縁は該第二バスラインの連接側縁と相互に連接し、その間には折り曲げ可能線を形成し、該積重ね区域の信号伝送線と該第二バスラインの対応する信号伝送線及び該部品配置区域の信号伝送線は相互に通じることを特徴とする対応ピン位置を変更可能な回路連接バスライン。
【請求項２】
前記第一バスラインと該第二バスラインの少なくとも挿入接続端は挿入接続器を接続することを特徴とする請求項１記載の対応ピン位置を変更可能な回路連接バスライン。
【請求項３】
前記第一バスラインと該第二バスラインはさらにバンチ区域を含み、該バンチ区域は数本の該バスラインの延伸方向に沿った平行切断線を含み切り開き、複数のバスラインバンチを形成し構成し、該各バスラインバンチは独立し自由に湾曲可能なバンチ構造で、各１本のバスラインバンチ内部には少なくとも１本の信号伝送線を含むことを特徴とする請求項１記載の対応ピン位置を変更可能な回路連接バスライン。
【請求項４】
前記第一バスラインと該第二バスラインの挿入接続端はそれぞれ回転接続板を結合し、該回転接続板上には複数の信号配線を形成することを特徴とする請求項１記載の対応ピン位置を変更可能な回路連接バスライン。
【発明の詳細な説明】
【技術分野】
【０００１】
本発明は一種の信号伝送バスラインの構造設計に関する。特に一種の対応ピン位置を変更可能な回路連接バスラインに係る。
【背景技術】
【０００２】
公知のバスライン構造は一般に外表面が絶縁層に覆われた数本の導線を並列しバスライン構造を形成し、多種の電気設備、電子設備、コンピュータ設備、通信設備において信号の伝送用としてに応用される。この種の公知のバスライを固定連接構造部品間に応用する時には何の問題もないが、回転軸構造を対応させる必要がある応用に用いる場合には、ニーズを満たすことはできない。
【０００３】
現在多くの電子設備或いは通信設備においては、しばしば回転軸構造が使用される。例えば、現在広く使用されている携帯電話の構造設計中の蓋板或いはスクリーンは回転軸構造により携帯電話端末本体上に結合されていることが多い。携帯電話端末本体から該蓋板或いはスクリーンに電気信号を伝送するために、現在は小型化されたバスライン製品を採用し、或いは極細導線をバンチを採用し信号の伝送線として使用している。
【発明の開示】
【発明が解決しようとする課題】
【０００４】
公知構造は小型化或いは微細導線バンチを採用し信号の伝送線とする方式を採用し信号伝送のニーズに無理やり適用しようとしても、その回転軸構造の大きさを縮小することはできないため、携帯電話端末本体の構造設計において重大な限界となってしまう。
【０００５】
さらに現在の携帯電話端末設計或いはノートＰＣなどの応用領域においては、回転軸構造により伝送する信号はますます増大しており、回転軸構造のサイズもますます小さくなっている。しかも該回転軸構造は単純な１Ｄ構造から２Ｄ構造にシフトして来ているため、公知のバスライン設計ではニーズを満たすことはできない。このような状況において、公知のバスライン設計を採用するなら、該回転軸構造の軸孔を通過したとしても、製品の使用時には該バスラインの存在により該回転軸構造の操作が影響を受けてしまう。しかも、該バスラインもまた使用者の回転操作により、該各バスライン中の各導線は相互に牽制、ねじれなどを受け、ひどい場合には該バスライン中の導線が損傷する事態さえ起きかねない。
【０００６】
上記問題に対して、バスラインを取りまとめる製品が開発されているが、これら製品はバスラインの回転軸孔通過の問題を解決することができるだけで、該バスライン両端に連接する電子部品（連接器、溶接点など）のピン位置設計の面ではやはり重大な限界がある。すなわち、電子製品回路のオリジナル設計においては、その連接器のピン位置は既に固定されており、対応するピン位置のバスラインを採用しなければならない。もし両者のピン位置が異なれば、連接作業時に困難が生じる。同時に、バスラインメーカーはバスラインの製造時に、各種異なるアプリケーションニーズに対応するため、各種異なるピン位置のバスライン製品を製造しなければならない。これでは研究開発、製造、コスト、生産ラインのレイアウトなどに問題が生じ、使用者に手ごろな製品を提供することができない。
【０００７】
上記課題を解決するため、本発明は下記の対応ピン位置を変更可能な回路連接バスラインを提供する。
【０００８】
それは主に対応ピン位置を変更可能な回路連接バスラインを提供し、異なる折り重ねアレンジにより、異なるピン位置を必要とする回路連接に符合し、またそれは、対応ピン位置を調整可能なだけでなく、多種の異なる長さ、挿入接続端携帯電話端末の様々な製品に応用可能である。
【０００９】
さらにそれは、該バスライン積重ねの際にその挿入接続端は回転接続板を結合し、該回転接続板上には公知の配線レイアウト技術により複数の信号配線を形成し、しかも該回転接続板は単層板、二層板、多層板を採用可能で、本発明の第一バスラインと第二バスラインの挿入接続端は回転接続板を積み重ね結合可能である他、それぞれ別に回転接続板を結合する。
【００１０】
すなわち本発明の信号伝送バスラインは多くの１Ｄ或いは２Ｄ回転軸構造を具えた電子設備に応用可能で、しかも両端に接続する電子部品のピン位置の必要に応じてバスラインの挿入接続端のピン位置を調整可能で、実際の応用時には非常に弾力的な応用が可能でピン位置の制限を一切受けないことを特徴とする対応ピン位置を変更可能な回路連接バスラインである。
【課題を解決するための手段】
【００１１】
請求項１の発明は、主に第一バスライン、第二バスライン、部品配置区域、積重ね区域を含み、
該第二バスラインは連接側縁と挿入接続端を具え、該第二バスラインは複数の信号伝送線を設置し、
該部品配置区域は表面に部品挿入接続区を設置し、複数の信号伝送線を配線し、該部品配置区域は第一側縁、第二側縁を具え、該第一側縁と第一バスラインの連接側縁は相互に連接し、その間には折り曲げ可能線を形成し、該部品配置区域の信号伝送線は該第一バスラインの対応信号伝送線と相互に通じ、
該積重ね区域はその表面に複数の信号伝送線を設置し、該積重ね区域は内側縁、外側縁を含み、該内側縁は該部品配置区域の第二側縁に連接し、その間には折り曲げ可能線を形成し、該外側縁は該第二バスラインの連接側縁と相互に連接し、その間には折り曲げ可能線を形成し、該積重ね区域の信号伝送線と該第二バスラインの対応する信号伝送線及び該部品配置区域の信号伝送線は相互に通じることを特徴とする対応ピン位置を変更可能な回路連接バスラインとしている。
請求項２の発明は、前記第一バスラインと該第二バスラインの少なくとも挿入接続端は挿入接続器を接続することを特徴とする請求項１記載の対応ピン位置を変更可能な回路連接バスラインとしている。
請求項３の発明は、前記第一バスラインと該第二バスラインはさらにバンチ区域を含み、該バンチ区域は数本の該バスラインの延伸方向に沿った平行切断線を含み切り開き、複数のバスラインバンチを形成し構成し、該各バスラインバンチは独立し自由に湾曲可能なバンチ構造で、各１本のバスラインバンチ内部には少なくとも１本の信号伝送線を含むことを特徴とする請求項１記載の対応ピン位置を変更可能な回路連接バスラインとしている。
請求項４の発明は、前記第一バスラインと該第二バスラインの挿入接続端はそれぞれ回転接続板を結合し、該回転接続板上には複数の信号配線を形成することを特徴とする請求項１記載の対応ピン位置を変更可能な回路連接バスラインとしている。
【発明の効果】
【００１２】
上記のように、本発明の回路連接バスラインは、携帯電話端末、ポータブルコンピュータ、ポータブルデジタル映像プレーヤーなど、２軸或いは３軸を具えた多くの回転軸構造の電子設備に応用可能である。
【発明を実施するための最良の形態】
【００１３】
本発明の回路連接バスライン１００はフレキシブル回路板の技術により製造する。それは第一バスライン１、第二バスライン２を含み、該第一バスライン１と該第二バスライン２は平行し延伸する。
【００１４】
該第一バスライン１は連接側縁１１及び挿入接続端１２を具え、該第一バスライン１は複数の信号伝送線１３を設置する（図３参照）。該第一バスライン１の挿入接続端１２は公知のゴールドフィンガー挿入接続端或いはレリーフ接触区域形態を具えた挿入接続端とすることができる。該挿入接続端は数個のピン位置を具え（例えば１〜６０ピン位置）、しかも該挿入接続端１２の各１個のピン位置はピン位置通し番号を予め設定する。例えば、その内の１個を識別用に第一参考ピン位置Ｐ１とする。
【００１５】
該第二バスライン２は連接側縁２１と挿入接続端２２を具え、該第二バスライン２は複数の信号伝送線２３を設置する。該第二バスライン２の挿入接続端２２は公知のゴールドフィンガー挿入接続端或いはレリーフ接触区域形態を具えた挿入接続端とすることができ、しかも該挿入接続端２２の各１個のピン位置はピン位置通し番号を予め設定する。例えば、その内の１個を識別用に第一参考ピン位置Ｐ２とする。
【００１６】
該回路連接バスライン１００中には部品配置区域３を含み、その表面には部品挿入接続区３１を設置し、連接器を設置することができる。該部品配置区域３は図示の方向に配置可能で、また９０度回転させ配置することもできる。該部品挿入接続区３１の両側接触区においてそれぞれ複数本の信号伝送線３２、３３を設置する。
【００１７】
該部品配置区域３は第一側縁３４、第二側縁３５を具え、該第一側縁３４と第一バスライン１の連接側縁１１は相互に連接し、その間には折り曲げ可能線Ｌ１を形成する。該部品配置区域３の信号伝送線３２は該第一バスライン１の対応信号伝送線１３と相互に通じる。
【００１８】
該回路連接バスライン１００はさらに積重ね区域４を含み、その表面には複数の信号伝送線４１を設置する。該積重ね区域４は内側縁４２、外側縁４３を含み、該内側縁４２は該部品配置区域３の第二側縁３５に連接し、その間には折り曲げ可能線Ｌ３を形成する。該外側縁４３は該第二バスライン２の連接側縁２１と相互に連接し、その間には折り曲げ可能線Ｌ３を形成する。該積重ね区域４の信号伝送線４１と該第二バスライン２の対応する信号伝送線２３及び該部品配置区域３の信号伝送線３３は相互に通じる。
【００１９】
上記実施例において該回路連接バスライン１００の第一バスライン１、第二バスライン２、部品配置区域３、積重ね区域４が設置する信号伝送線はみな単層板を最適実施例として説明するが、当然本発明は二層板或いは多層板の回路連接バスライン構造に応用することもできる。
【００２０】
図４〜６に示すように、本発明の折畳み回路連接バスライン１００は先ず該第一バスライン１を折り曲げ可能線Ｌ１に沿って該部品配置区域３の底面まで折り重ね（図４参照）。続いて、該第二バスライン１を該折り曲げ可能線Ｌ３に沿って該積重ね区域４の底面まで折り重ねる（図５参照）。最後に該第二バスライン２を該積重ね区域４も一緒に既に該部品配置区域３に重ねたが第一バスライン１の底面に重ね、本発明折畳み回路連接バスライン１００の積み重ね操作を完成する（図６参照）。
【００２１】
図７に示すように、本発明の折畳み回路連接バスライン１００は上記積み重ね操作を完成後、該第一バスライン１は該第二バスライン２の頂点面位置に位置し、該第一バスライン１の参考ピン位置Ｐ１は該第二バスライン２の参考ピン位置Ｐ２と相反する対応位置となる。
【００２２】
次に図８〜１０に示すように、本発明の折畳み回路連接バスライン１００の別種の折り重ね操作の実施例では、該第二バスライン２を該折り曲げ可能線Ｌ３に沿って該積重ね区域４の底面に折り重ねる（図８参照）。差次に該第二バスライン２を該積重ね区域４も一緒に該折り曲げ可能線Ｌ２に沿って該部品配置区域３の底面に折り重ねる（図９参照）。最後に該第一バスライン１を該折り曲げ可能線Ｌ１に沿って既に該部品配置区域３に重ねた第二バスライン1の底面に折り重ね、本発明折畳み回路連接バスライン１００の積み重ね操作を完成する（図１０参照）。
【００２３】
図１１に示すように、本発明の折畳み回路連接バスライン１００は上記積み重ね操作を完成後、該第一バスライン１は該第二バスライン２の底面位置に位置し、該第一バスライン１の参考ピン位置Ｐ１は該第二バスライン２の参考ピン位置Ｐ２と相反する対応位置となる。
【００２４】
続いて図１２に示すように、本発明の第一バスライン１と第二バスライン２の一方或いは両方はさらにバンチ区域５を含む。該バンチ区域５は数本の該バスラインの延伸方向に沿った平行切断線５１を含み切り開き、複数のバスラインバンチを形成し構成する。該各バスラインバンチは独立し自由に湾曲可能なバンチ構造で、各１本のバスラインバンチ内部には少なくとも１本の信号伝送線を含む。該バンチ区域５はバンチ及び保護材５２によりバンチ及び保護される。該第一バスライン１と該第二バスライン２の挿入接続端１２、２２は同一の連接器６に接続する。
【００２５】
該第一バスライン１と該第二バスライン２は単一のバンチ及び保護材５２により全体をまとめられる他、それぞれの方式によりバンチすることもできる。例えば図１３に示すように、該第一バスライン１と該第二バスライン２はそれぞれバンチ及び保護材５a、５bによりまとめされ、その端部はそれぞれ連接器６a、６bに接続する。さらに、該第一バスライン１と該第二バスライン２の延伸する長さは同一、又は非同一とすることができる。
【００２６】
さらに図１４に示すように、本実施例の構成部品は図３に示す実施例と同様である。その差異は該部品配置区域３の配置位置がちょうど該積重ね区域４と対応する点である。本実施例においては、前記実施例とは異なる折り重ね順序で異なるピン位置対応関係を生み出すことができ、また該第一バスライン１と該第二バスライン２の上下積み重ね関係も変更する。
【００２７】
次に図１５に示すように本発明回路連接バスライン１００はバンチ区域５により簡単に回転軸構成部品７の軸孔７１を通過することができる。しかも該回路連接バスライン１００の挿入接続端は異なる連接器或いは同一の連接器、異なるバスラインの長さ、及び異なるピン位置対応のニーズに応じて変更することができる。
【００２８】
続いて図１６に示すように、該第一バスライン１は該第二バスライン２に積み重ね後、該挿入接続端１２はさらに回転接続板８を結合する。該回転接続板８上には公知の回路配線技術により複数の信号レイアウト線８１を形成することができる。該回転接続板８は実際の必要に応じて単層板、二層板、多層板を採用する。該回転接続板８上の回路配線設計はジャンパー接続、ピン位置変更の目的を達成することができる。
【００２９】
図１６に示す回転接続板８は挿入接続の構造形態で、また必要に応じて該回転接続板８上には他の回路部品を配置することもできる。例えば、図１７に示す図１６中の回転接続板８は連接台８２を配置し、該連接台８２により他の挿入接続器（図示なし）を挿入接続することもでき、弾力的な応用が可能である。
【００３０】
該第一バスライン１と該第二バスライン２の挿入接続端１２、２２は該挿入接続板８を積み重ね結合可能である他、それぞれ別の挿入接続板を該第一バスライン１と該第二バスライン２の挿入接続端１２、２２に接続することができる。図１８は該第一バスライン１と該第二バスライン２の挿入接続端１２、２２がそれぞれ回転接続板８a、８bを接続する立体図である。
【００３１】
上記のように、本発明の回路連接バスラインは、携帯電話端末、ポータブルコンピュータ、ポータブルデジタル映像プレーヤーなど、２軸或いは３軸を具えた多くの回転軸構造の電子設備に応用可能である。
【図面の簡単な説明】
【００３２】
【図１】本発明第一実施例の展開時の立体図である。
【図２】本発明第一実施例の立体分解図である。
【図３】本発明回路連接バスラインの展開時の平面表示図である。
【図４】本発明の折畳み回路連接バスラインの折畳み操作時の立体図である。
【図５】本発明の折畳み回路連接バスラインの折畳み操作時の立体図である。
【図６】本発明の折畳み回路連接バスラインの折畳み操作時の立体図である。
【図７】図６の７−７位置における断面図である。
【図８】本発明の折畳み回路連接バスラインの折畳み操作時の立体図である。
【図９】本発明の折畳み回路連接バスラインの折畳み操作時の立体図である。
【図１０】本発明の折畳み回路連接バスラインの折畳み操作時の立体図である。
【図１１】図１０の１１−１１位置における断面図である。
【図１２】本発明の第一バスラインと第二バスラインの一つ或いは両者がさらにバンチ区域を具える立体図である。
【図１３】第一バスラインと第二バスラインがそれぞれバンチ及び保護材によりバンチられ、その端部においてそれぞれ連接器を連接する立体図である。
【図１４】本発明第二実施例の展開時の平面表示図である。
【図１５】本発明が回転軸機構に貫通、結合する時の立体図である。
【図１６】本発明がさらに回転接続板を結合する実施例図である。
【図１７】図１６中の回転接続板上に連接台を配置する表示図である。
【図１８】本発明がさらに回転接続板を結合する別種の実施例である。
【符号の説明】
【００３３】
１００  回路連接バスライン
１  第一バスライン
１１  連接側縁
１２  挿入接続端
１３  信号伝送線
２  第二バスライン
２１  連接側縁
２２  挿入接続端
２３  信号伝送線
３  部品配置区域
３１  部品挿入接続区
３２  信号伝送線
３３  信号伝送線
３４  第一側縁
３５  第二側縁
４  積重ね区域
４１  信号伝送線
４２  内側縁
４３  外側縁
Ｐ１  参考ピン位置
Ｐ２  参考ピン位置
Ｌ１  折り曲げ可能線
Ｌ２  折り曲げ可能線
Ｌ３  折り曲げ可能線
５  バンチ区域
５１  平行切断線
５２  バンチ及び保護材
５a  バンチ及び保護材
５b  バンチ及び保護材
６a  連接器
６b  連接器
７  回転軸構成部品
７１  軸孔
８  回転接続板
８a  回転接続板
８b  回転接続板
８１  信号レイアウト線
８２  連接台
【図１】
2007073924.tif 000003
【図２】
2007073924.tif 000004
【図３】
2007073924.tif 000005
【図４】
2007073924.tif 000006
【図５】
2007073924.tif 000007
【図６】
2007073924.tif 000008
【図７】
2007073924.tif 000009
【図８】
2007073924.tif 000010
【図９】
2007073924.tif 000011
【図１０】
2007073924.tif 000012
【図１１】
2007073924.tif 000013
【図１２】
2007073924.tif 000014
【図１３】
2007073924.tif 000015
【図１４】
2007073924.tif 000016
【図１５】
2007073924.tif 000017
【図１６】
2007073924.tif 000018
【図１７】
2007073924.tif 000019
【図１８】
2007073924.tif 000020